(57)【特許請求の範囲】
【請求項１】
中空のペン本体部と、
位置決めピンによって前記ペン本体部の一端に固定されるペン芯部と、
前記ペン本体部内にスライド可能に収納されるペン軸と、
を備えてなるタッチペンであって、
前記ペン軸の一端には、第一係止部及び突柱が設けられ、
前記ペン本体部の前記ペン芯部から離れている他端には、第二係止部が設けられ、
前記位置決めピンが前記ペン軸の前記第一係止部に係止されると、前記ペン軸は前記ペン本体部に対して収縮され、
前記ペン軸の前記突柱が前記ペン本体部の前記第二係止部に係止されると、前記ペン軸は前記ペン本体部に対して伸長されることを特徴とするタッチペン。
【請求項２】
前記タッチペンは、前記ペン本体部の前記ペン先部から離れる他端に固定される位置決め部材をさらに含み、前記第二係止部は、前記位置決め部材の一端から前記ペン芯部に向って延在してなることを特徴とする請求項１に記載のタッチペン。
【請求項３】
前記第二係止部は、対向する２つの係止アームを含み、前記２つの係止アームの間には係止凹溝が設けられ、前記突柱は前記係止凹溝に係止されることを特徴とする請求項１に記載のタッチペン。
【請求項４】
前記第一係止部の中央部にはスリットが設けられ、前記スリットの略中央部にはロック穴が設けられ、前記位置決めピンは前記ロック穴に係止されることを特徴とする請求項１に記載のタッチペン。
【請求項５】
前記タッチペンは、前記ペン芯部を被せるキャップをさらに含み、前記キャップの内表面には突起部が設けられ、前記ペン芯部の一端には係止凹溝が設けられ、前記キャップの突起部は前記ペン芯部の前記係止凹溝に解除可能に係合されることを特徴とする請求項４に記載のタッチペン。
【請求項６】
前記キャップの突起部と前記ペン芯部の係止凹溝との係止力は、前記位置決めピンと前記ペン軸の前記第一係止部の前記ロック穴との係止力より大きいことを特徴とする請求項５に記載のタッチペン。
【発明の詳細な説明】
【技術分野】
【０００１】
本発明は、タッチペンに関し、特に電子装置に用いられるタッチペンに関するものである。
【背景技術】
【０００２】
現在市販されている携帯電話、個人用携帯情報端末（ＰＤＡ）及びパソコン等の電子装置は殆んどタッチパネルを備える。これらの電子装置は、一般的にタッチペンを入力手段とする。
【０００３】
従来のタッチペンは通常電子装置の内部に内蔵されており、使用する場合、前記タッチペンを電子装置の蓋体から抜き出す。しかし、電子装置の蓋体の長さが短く且つ内部空間も小さいため、それに収納されるタッチペンも短く設計しなければならない。従って、タッチペンの長さは制限されて、ユーザーにとって不便である。
【発明の概要】
【発明が解決しようとする課題】
【０００４】
従来の問題を解決するために、伸縮できるタッチペンがたくさん設計されたが、既存のタッチペンの構造が複雑であるので、操作しにくい。
【０００５】
本発明は、上記の課題に鑑みてなされたものであり、構造が簡単で、操作し易く、且つ伸縮自在なタッチペンを提供することを目的とする。
【課題を解決するための手段】
【０００６】
前記課題を解決するために、本発明に係るタッチペンは、中空のペン本体部と、位置決めピンによって前記ペン本体部の一端に固定されるペン芯部と、前記ペン本体部内にスライド可能に収納されるペン軸と、を備えてなる。前記ペン軸の一端には、第一係止部及び突柱が設けられる。前記ペン本体部の前記ペン芯部から離れている他端には第二係止部が設けられる。前記位置決めピンが前記ペン軸の第一係止部に係止されると、前記ペン軸は前記ペン本体部に対して収縮される。前記ペン軸の突柱が前記ペン本体部の第二係止部に係止されると、前記ペン軸を前記ペン本体部に対して伸長される。
【発明の効果】
【０００７】
従来の技術に比べて、本発明のタッチペンは、スライド溝を有するガイドロッドなどを備えなくても、前記ペン軸の前記ペン本体部に対する伸縮を実現できるので、構造が簡単で且つ操作し易いという利点を有する。
【図面の簡単な説明】
【０００８】
【図１】本発明に係るタッチペンの立体分解図である。
【図２】図１に示したタッチペンの組立図である。
【図３】図２に示したタッチペンの局部断面図である。
【図４】図３に示したタッチペンが伸長された状態での立体図である。
【発明を実施するための形態】
【０００９】
本発明のタッチペンは、携帯電話、個人用携帯情報端末（ＰＤＡ）及びパソコン等の電子装置に用いられる。以下、図面を参照しながら本発明の実施形態に係るタッチペンについて詳細に説明する。
【００１０】
図１に示したように、本発明のタッチペン１００は、ペン本体部１０と、前記ペン本体部１０の一端に固定されるペン芯部２０と、前記ペン本体部１０内にスライド可能に収納されるペン軸３０と、前記ペン本体部１０の他端に装着される位置決め部材４０と、前記ペン軸３０の一端に固定されるプラグ５０と、前記ペン芯部２０を着脱可能に被せるキャップ６０と、前記ペン芯部２０を前記ペン本体部１０に固定するための位置決めピン７０と、前記プラグ５０を前記ペン軸３０に固定するための固定ピン８０と、を備える。
【００１１】
前記ペン本体部１０は中空の管状体であり、４つの側壁１２から囲んで形成される。前記ペン本体部１０の軸方向に沿って前記ペン芯部２０を収納するための収容空洞部１１が設けられる。本実施形態において、前記収容空洞部１１の横断面は略矩形を呈するが、他の実施形態において、前記収容空洞部１１の横断面は三角形のような他の形状でもよく、従って前記ペン軸３０が前記ペン本体部１０内で回転できないようにする。前記ペン本体部１０の対向する２つの側壁１２の一端には、前記位置決めピン７０を装着するための固定穴１２２がそれぞれに設けられる。前記２つの側壁１２の他端の内表面には、前記位置決め部材４０を固定するための位置決め部１２４（図３を参照）がそれぞれに設けられる。
【００１２】
前記ペン芯部２０は、中空の固定部２２及び前記固定部２２に連結するペン先部２４を含む。前記固定部２２には、前記ペン本体部１０の２つの固定穴１４２に対応する２つの貫通孔２２２が設けられる。前記ペン先部２４は略円錐状を呈し、その先端部には電子装置のタッチパネルをタッチするために用いられるタッチ部２４４が設けられ、前記ペン先部２４の前記固定部２２に近い箇所には前記キャップ６０を係止するための係止凹溝２４２が形成される。
【００１３】
前記ペン軸３０も中空の管状体であり、４つの側壁から囲んで形成される。前記ペン軸３０の対向する２つの側壁の一端から２つの第一係止部３２が対向して延在される。各々の第一係止部３２の中央部には、その延在方向に沿ってスリット３２２、前記位置決めピン７０を貫かせるロック穴３２６及びガイド溝３２４が順次に設けられる。前記ペン軸３０の他の対向する２つの側壁の一端には、２つの突柱３４が同軸に設けられる。前記ペン軸３０の前記突柱３４が設けられた２つの側壁の他端には、前記固定ピン８０を装着するための固定穴３６がそれぞれに設けられる。
【００１４】
前記位置決め部材４０は、横断面が略矩形を呈する筒状体であり、その軸方向に沿って収容空洞部４１が設けられる。前記位置決め部材４０は、前記ペン軸３０を被せて、前記ペン軸３０が前記位置決め部材４０に対して回転できないようにする。前記位置決め部材４０の前記キャップ６０に向かう一端から対向する２つの第二係止部４２及び対向する２つの位置決めアーム４４が延在される。前記第二係止部４２と前記位置決めアーム４４とは、互いに離間して設置される。
【００１５】
各々の第二係止部４２は対向する２つの係止アーム４２２を含み、前記２つの係止アーム４２２の間には、係止凹溝４２２２が設けられる。前記２つの係止凹溝４２２２は対向して設置される。各々の位置決めアーム４４の他方の位置決めアーム４４に背離する表面には、位置決め凹所４４２が設けられる。前記ペン本体部１０の位置決め部１２４を前記位置決め凹所４４２に係合させて、前記位置決め部材４０を前記ペン本体部１０に固定する。
【００１６】
前記プラグ５０は、前記ペン本体部１０の収容空洞部１１の開口を覆う基板５２及び前記基板５２に直交して連結する嵌合部５４を含む。前記嵌合部５４の対向する２つの側面には取付孔５４２がそれぞれに設けられ、前記嵌合部５４が前記ペン軸３０に嵌入された後、前記取付孔５４２と前記固定穴３６とは同じ軸線に位置するので、その中に前記固定ピン８０を挿入することにより、前記プラグ５０を前記ペン軸３０の一端に固定する。
【００１７】
前記キャップ６０は周壁６２を含み、前記周壁６２の内表面には２つの突起部６２２が対向して設けられる。前記突起部６２２は前記ペン芯部２０の係止凹溝２４２に解除可能に係合される。
【００１８】
以下、図１乃至図３を参照しながら、本発明のタッチペン１００の組立ステップについて詳細に説明する。
【００１９】
まず、前記ペン芯部２０を前記ペン本体部１０内に挿入して、前記ペン芯部２０の貫通孔２２２と前記ペン本体部１０の固定穴１２２との位置を合せてから、前記位置決めピン７０を前記ペン本体部１０の固定穴１２２及び前記ペン芯部２０の貫通孔２２２に順次に挿入して、前記位置決めピン７０の両端をそれぞれ前記ペン本体部１０の２つの固定穴１２２に係止して、前記ペン芯部２０を前記ペン本体部１０に固定する。
【００２０】
次に、前記第二係止部４２が設置された一端から前記位置決め部材４０を前記ペン軸３０に被せる。続いて、前記プラグ５０の嵌合部５４を前記ペン軸３０内に嵌入すると共に、前記嵌合部５４の取付孔５４２と前記ペン軸３０の固定穴３６との位置を合わせてから、前記固定ピン８０を前記ペン軸３０の固定穴３６及び前記プラグ５０の取付孔５４２に順次に挿入して、前記固定ピン８０の両端をそれぞれ前記ペン軸３０の２つの固定穴３６に係止して、前記プラグ５０を前記ペン軸３０に固定する。
【００２１】
次に、前記ペン本体部１０を前記ペン軸３０に被せて、前記ペン本体部１０で前記位置決め部材４０を推進し、前記位置決め部材４０が前記プラグ５０の基板５２に当接してから、前記ペン本体部１０をさらに推進すると、前記ペン本体部１０の対向する２つの側壁１２の内表面に設けられた前記位置決め部１２４は、前記位置決め部材４０の２つの位置決めアーム４４を互いに近づくように押圧して、前記２つの位置決めアーム４４に弾性力を蓄積させる。前記位置決め部１２４が前記位置決めアーム４４の位置決め凹所４４２内に滑り込むと、前記位置決めアーム４４は弾性回復して、前記位置決め部１２４は前記係位置決め凹所４４２内に固く係合されて、前記位置決め部材４０は前記ペン本体部１０に固定され、且つ前記位置決めピン７０は前記ペン軸３０の２つの第一係止部３２のガイド溝３２４を経由してロック穴３２６内に係止される。前記第一係止部３２のロック穴３２６の片側にスリット３２２が設けられているので、前記位置決めピン７０が前記ガイド溝３２４を経由して前記ロック穴３２６内に係止される際、前記ロック穴３２６が拡張され易く、従って前記位置決めピン７０が前記ロック穴３２６内に順調に係止される。
【００２２】
最後に、前記キャップ６０を前記ペン先部２４に被せて、前記キャップ６０の突起部６２２を前記ペン先部２４の係止凹溝２４２に係止させる。これで、前記タッチペン１００の組立を完成する。この際、図２及び図３に示したように、前記タッチペン１００は収縮された状態に処する。
【００２３】
前記タッチペン１００を使用する場合、前記キャップ６０を引張ると、前記位置決めピン７０は前記ペン軸３０の２つの第一係止部３２のロック穴３２６から退出して、前記ペン芯部２０は前記キャップ６０に連動して前記ペン軸３０の軸方向に沿って前記プラグ５０から離れる方向へ移動するとともに、前記ペン芯部２０に固定された前記ペン本体部１０及び前記ペン本体部１０に固定された前記位置決め部材４０も前記ペン軸３０の軸方向に沿って前記プラグ５０から離れる方向へ移動する。続いて、前記キャップ６０を引張って、前記ペン軸３０の対向する２つの側壁の２つの突柱３４が前記位置決め部材４０の２つの第二係止部４２の係止凹溝４２２２に係止されると、前記タッチペン１００は完全に伸長される。最後に、前記キャップ６０を引張って、その突起部６２２が前記ペン芯部２０の係止凹溝２４２から退出すると、前記キャップ６０を取り外して、ユーザーは前記タッチペン１００を使用できる。
【００２４】
なお、前記キャップ６０は前記ペン先部２４に被せられたまま、前記ペン軸３０を前記ペン本体部１０に対して長く引張るので、前記キャップ６０の突起部６２２と前記ペン芯部２０の係止凹溝２４２との係止力は、前記位置決めピン７０と前記ペン軸３０のロック穴３２６との係止力より大きくするべきである。
【００２５】
なお、前記位置決め部材４０の収容空洞部４１の横断面は、矩形に限定されなく、ペンタゴンのような他の形状であることができ、従って前記ペン軸３０が前記位置決め部材４０内で回転できないようにする。
【００２６】
なお、前記第二係止部４２を前記ペン本体部１０に直接設けてもよい。
【００２７】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２８】
１０        ペン本体部
１１        収容空洞部
１２        側壁
２０        ペン芯部
２２        固定部
２４        ペン先部
３０        ペン軸
３２        第一係止部
３４        突柱
３６        固定穴
４０        位置決め部材
４１        収容空洞部
４２        第二係止部
４４        位置決めアーム
５０        プラグ
５２        基板
５４        嵌合部
６０        キャップ
６２        周壁
７０        位置決めピン
８０        固定ピン
１００      タッチペン
１２２      固定穴
１２４      位置決め部
２２２      貫通孔
２４２      係止凹溝
２４４      タッチ部
３２２      スリット
３２４      ガイド溝
３２６      ロック穴
４２２      係止アーム
４４２      位置決め凹所
５４２      取付孔
６２２      突起部
４２２２    係止凹溝
【図１】
0005492794.tif 000002
【図２】
0005492794.tif 000003
【図３】
0005492794.tif 000004
【図４】
0005492794.tif 000005